(57)【要約】【課題】  三味線の胴の経口の面積が狭い場合には、十分な接着力を持つことが出来ずに、皮が胴から剥がれてしまう心配があり、一方、「胴鳴り音」の音質を高めることが自由に出来ない状況であった。【解決手段】  胴１１０の内部に補完部材１２０を備え、前記補完部材の頂面１２１が胴の経口１１１とほぼ同じ平面上に位置しており、反射壁部を有する三味線を提供する。【選択図】図１
2019053265.tif 000002
【特許請求の範囲】
【請求項１】
胴の内部に補完部材１２０を備えており、
前記補完部材の頂面１２１が胴の経口１１１とほぼ同じ平面上に位置していることを特徴とする三味線。
【請求項２】
前記補完部材は、凹部１２４を有し、
略くの字型あるいは略Ｃの字型の形状であることを特徴とする請求項１に記載の三味線。
【請求項３】
前記補完部材の反射壁部１２３に段差が形成されていることを特徴とする請求項１または２に記載の三味線。
【請求項４】
前記補完部材が着脱可能に取り付けられていることを特徴とする請求項１乃至３のいずれか一つに記載の三味線。
【請求項５】
前記胴の底面が振動体１５０によって覆われていることを特徴とする請求項１乃至４のいずれか一つに記載の三味線。
【請求項６】
前記胴の底面が板１６０によって覆われており、板１６０に少なくとも一つ以上のサウンドホール１６１が形成されていることを特徴とする請求項１乃至５のいずれか一つに記載の三味線。
【請求項７】
前記サウンドホール１６１を覆う振動体１５１が形成されていることを特徴とする請求項１乃至６のいずれか一つに記載の三味線。
【請求項８】
前記胴の内部に第２補完部材１７０が設けられていることを特徴とする請求項１乃至７のいずれか一つに記載の三味線。
【請求項９】
前記第２補完部材の頂面１７１が胴の経口１１１とほぼ同じ平面上に位置していることを特徴とする請求項１乃至８のいずれか一つに記載の三味線。
【発明の詳細な説明】
【技術分野】
【０００１】  本発明は、三味線に関するものである。
【背景技術】
【０００２】  三味線の胴に皮を貼るには、胴の上部の縁部（経口）に糊付けして貼着していた。
【発明の概要】
【発明が解決しようとする課題】
【０００３】  従来の三味線は、胴と皮を貼り付ける際に、胴の端面に形成された経口に糊付けをして接着させていた。しかし、経口の面積が狭い場合には、十分な接着力を持つことが出来ずに、皮が胴から剥がれてしまう心配があった。【０００４】  また、従来の三味線の胴の強度が不十分であり、胴が破損したり、胴の表面に亀裂が生じることもあった。【０００５】  さらに、胴内部で反射することで生じる音響（胴鳴り音）の音質を高める仕組みが乏しく、「胴鳴り音」を有効に生かすことが出来ていなかった。
【課題を解決するための手段】
【０００６】  上記の目的を達成するため、本発明は、胴１１０の内部に補完部材１２０を備えており、前記補完部材の頂面１２１が胴の経口１１１とほぼ同じ平面上に位置していることを特徴とする三味線を提供する。【０００７】  前記補完部材は、凹部１２４を有し、略くの字型あるいは略Ｃの字型の形状であることが好ましい。【０００８】  前記補完部材の反射壁部１２３に段差が形成されていることが好ましい。【０００９】  前記補完部材が着脱可能に取り付けられていることが好ましい。【００１０】  前記胴の底面が振動体１５０によって覆われているが好ましい。【００１１】  前記胴の底面が板１６０によって覆われており、板１６０に少なくとも一つ以上のサウンドホール１６１が形成されていることが好ましい。【００１２】  前記サウンドホール１６１を覆う振動体１５１が形成されていることが好ましい。【００１３】  前記胴の内部に第２補完部材１７０が設けられていることが好ましい。【００１４】  前記第２補完部材の頂面１７１が胴の経口１１１とほぼ同じ平面上に位置していることが好ましい。
【発明の効果】
【００１５】  皮の糊付けに用いることの可能な面積を拡張させることによって、皮と胴との接着力を向上させて、胴から皮が剥がれにくい三味線を提供することが出来る。【００１６】  また、胴内部に補完部材を備えることで、胴の耐久性が高まり、胴の破損や亀裂が生じることを防ぐことが出来る。【００１７】  さらに、胴内部で反射することで生じる音響（胴鳴り音）の音質を高め、「胴鳴り音」を有効に生かすことを可能にする。
【図面の簡単な説明】
【００１８】
【図１】三味線１００の一部を省略した平面図である。
【図２】図１の断面図（Ａ−Ａ断面図）である。
【図３】三味線１００のＢ−Ｂ断面図（一部省略・斜視図）である。
【図４】変形例１００ＡにおけるＢ−Ｂ断面図（一部省略・斜視図）である。
【図５】変形例１００ＢにおけるＢ−Ｂ断面図（一部省略・斜視図）である。
【図６】変形例１００ＣにおけるＢ−Ｂ断面図（一部省略）である。
【図７】変形例１００ＤにおけるＢ−Ｂ断面図（一部省略）である。
【図８】変形例１００ＥにおけるＢ−Ｂ断面図（一部省略）である。
【図９】変形例１００ＦにおけるＢ−Ｂ断面図（一部省略・斜視図）である。
【発明を実施するための形態】
【００１９】  図１は三味線１００の一部を省略した平面図である、図２は図１のＡ−Ａ断面図であり、図３は三味線１００の一部を省略したＢ−Ｂ断面図（斜視図）である。
図示した図では、三味線１００の胴１１０を中心に表しており、天神、糸、糸巻き等を省略しているが、通常使用される部材が具備されている三味線を想定している。
【００２０】  胴１１０の内部に補完部材１２０が備わっている。補完部材１２０は略三角柱の形状であり、頂面１２１（上部の端面）と底面１２２（下部の端面）を備えている。
【００２１】  胴１１０に振動体１４０が貼着されており、胴１１０の頂面には、経口１１１が形成されている。経口（きょうぐち）とは、胴に皮と貼着する際に、糊付けする部分である。
【００２２】  補完部材１２０の頂面１２１は、経口１１１とほぼ同一平面にある。頂面１２１を経口１１１の拡張部として利用することが出来、より強固に胴１１０と振動体１４０を貼着させることが可能になる。
【００２３】  胴１１０に振動体１５０が貼着されており、胴１１０の底面には、経口１１２が形成されている。補完部材１２０の底面１２２は、経口１１２とほぼ同一平面にある。
【００２４】  底面１２２を経口１１２の拡張部として利用することが出来、より強固に胴１１０と振動体１５０を貼着させることが可能になる。
【００２５】  棹１３０の先端に中木１３１が備わっており、中木１３１が胴１１０の貫通孔１１４を挿通しており、中木先１３２が胴１１０の外部に突出している。
【００２６】  図４は三味線の変形例１００ＡにおけるＢ−Ｂ断面図（斜視図）である。胴１１０の底面には、振動体１５０に替わって、板１６０が固着されている。板１６０は、胴１１０の周壁の厚さと比べると薄くなっている。
【００２７】  この板１６０の略中央にサウンドホール１６１が形成されており、サウンドホール１６１は略円形である。
【００２８】  振動体１４０の振動波が胴１１０の内部で反射し、「胴鳴り音」が発生する。従来の三味線では、「胴鳴り音」の音質を高めることが容易でなかったが、本発明における三味線では、胴１１０の内部に補完部材１２０を設けることで、「胴鳴り音」の音響特性を向上させることが可能である。
【００２９】  図４で示す補完部材１２０は、略中央部に凹部１２４が形成されている。補完部材１２０の側面は、傾斜面を略山形の凹部１２４を設けられており、くの字に近い形状（略く字型形状）である。
【００３０】  このサウンドホール１６１があると胴１１０の内部に指先を入れることが可能になり、補完部材１２０を自在に取付け取外し作業が出来るようになる。
着脱可能に取り付けることが出来るが、その場合には、マジックテープやマグネット等を利用して補完部材１２０と胴１１０が結合されている。
着脱可能に取り付けることが出来るようにするためには、補完部材１２０と振動体１４０が糊付けされていない状態である必要がある。
【００３１】  図５は三味線の変形例１００ＢにおけるＢ−Ｂ断面図（斜視図）である。ここでの補完部材１２０は、上記と同様に略中央部に凹部１２４を有しており、Ｃの字に近い形状（略Ｃ字型形状）である。
【００３２】  図示しているように、サウンドホール１６１を覆う大きさを有する振動体１５１が貼着されている。この振動体１５１が振動することで、異なる趣向の「胴鳴り音」を発生させることが可能になる。
【００３３】  図６は三味線の変形例１００ＣにおけるＢ−Ｂ断面図である。図示しているように、補完部材１２０は、上記と同様に略中央部に凹部１２４を有しており、コの字に近い形状（略コ字型形状）である。
【００３４】  図７は三味線の変形例１００ＤにおけるＢ−Ｂ断面図である。図示しているように、補完部材１２０の反射壁部１２３は、波型の凹凸を有している。個々の波の形状と波の形状の間に段差１２５が形成されている。
【００３５】  図８は三味線の変形例１００ＥにおけるＢ−Ｂ断面図である。図示しているように、補完部材１２０の反射壁部１２３は、階段状の凹凸（ブロック型の凹凸）を有している。個々のブロックの間に段差１２５が形成されている。
【００３６】  図９は三味線の変形例１００ＦにおけるＢ−Ｂ断面図（振動体１４０を除いた斜視図）である。図示しているように、胴１１０の内部に第２補完部材１７０が備わっている。
【００３７】  第２補完部材１７０は反射壁部１７５を有している。第２補完部材１７０には、少なくとも一つ以上の凹部１７３が形成されており、中木１３１が通過可能な貫通孔１７４も形成されている。
第２補完部材１７０においても、補完部材１２０と同様に、着脱可能に取り付けることが出来る。その場合には、マジックテープやマグネット等を利用して第２補完部材１７０と胴１１０が結合されている。その為には、頂面１７１が振動体１４０と糊付けされていない状態である必要がある。
【００３８】  第２補完部材１７０の頂面１７１と、経口１１１がほぼ同一平面上に位置している。この頂面１７１を振動体１４０の糊付け部分に拡張することで、振動体１４０と胴１１０が剥がれにくくなる。また、第２補完部材１７０は胴１１０の強度を高める役割もする。
【００３９】  反射壁部１７５の形状は、様々なタイプが可能である。図７における補完部材１２０のように波型の溝があっても良く、図８における補完部材１２０のように階段型（ブロック型）の溝があっても良い。凹部１７３の代わりに、凸部を設けても良い。
【００４０】  図１〜図９において示した三味線は、中木１３１を有する三味線であったが、この様態に限定されない。
勿論、棹１３０と胴１１０が直接的に接着剤や金具等によって結合されている場合も、本発明の効果を持たせることが出来る。
【００４１】  振動体１４０と、補完部材１２０および胴１１０とを接合させる方法としては、ネジ、釘、鋲で留める方法や、糊や接着剤を使って留める方法が可能である。さらに、接着剤で留めた上に、鋲で留めることも可能である。
これにより、振動体１４０と胴１１０の接着力が向上する。また、鋲などを通して装飾性を高めることも可能である。
【００４２】  勿論、図７および図８で示した胴１１０の中に、第２補完部材１７０を取り付けることも可能である。
その場合に、補完部材１２０の段差１２５の溝が、第２補完部材１７０の反射壁部１７５まで延びて繋がる形状にすることにより、胴１１０の内部構造に一体感を持たせることが出来る。
【００４３】  図９で示した補完部材１２０と第２補完部材１７０の側面同士が合わさり、一体化させることで、胴１１０内部を一周取り囲むことも可能である。
これにより、胴１１０を一層強化なものにすることが出来る。
【００４４】＜素材＞
振動体１４０・１５０・１５１、補完部材１２０、第２補完部材１７０の素材として、天然皮、人工皮、紙、薄板、カーボン、金属、木材、プラスチック、合成樹脂、セラミック、陶器、ゴムなどを利用することが可能である。
【００４５】＜音響的な説明＞
サウンドホール１６１から音波が放射される際に、「胴鳴り音」も含まれている。
胴１１０の内部に補完部材１２０を備えた場合には、反射壁部１２３の形状に応じて、「胴鳴り音」が変化する。
さらに、第２補完部材１７０を備えた場合には、反射壁部１７５の形状に応じて、「胴鳴り音」が変化する。
補完部材１２０または第２補完部材１７０を用いることで、「胴鳴り音」の音質を向上させることが可能であり、胴１１０の内部で反射する音の変化を楽しむことが出来る。
【符号の説明】
【００４６】１００  三味線、
１１０  胴
１１１  経口（頂面側）
１１２  経口（底面側）
１１３  内壁
１１４  貫通孔
１２０  補完部材
１２１  頂面
１２２  底面
１２３  反射壁部
１２４  凹部
１２５  段差
１３０  棹
１３１  中木
１３２  中木先
１４０  振動体（頂面側）
１５０  振動体（底面側・胴外部）
１５１  振動体（底面側・胴内部）
１６０  板
１６１  サウンドホール
１７０  第２補完部材
１７１  頂面
１７２  底面
１７３  凹部
１７４  貫通孔
１７５  反射壁部
【図１】
2019053265.tif 000003
【図２】
2019053265.tif 000004
【図３】
2019053265.tif 000005
【図４】
2019053265.tif 000006
【図５】
2019053265.tif 000007
【図６】
2019053265.tif 000008
【図７】
2019053265.tif 000009
【図８】
2019053265.tif 000010
【図９】
2019053265.tif 000011